【手続補正書】
【提出日】平成20年3月21日(2008.3.21)
【手続補正１】
【補正対象書類名】明細書
【補正対象項目名】特許請求の範囲
【補正方法】変更
【補正の内容】
【特許請求の範囲】
【請求項１】  下記の式(II)を有する多環式シクロペンタジエニル化合物又は式(II)を有する前記化合物の混合物。
【化１】
2003529572.tif 000001
（式中、記号R1、R2、R3、R4、R5、R6、R7、Z1及びZ2の夫々は、独立して水素又は１〜15個の炭素原子を有する有機置換基を表し、及び、
前記Ｒ基又はＺ基のいずれか一つは、５〜20個の炭素原子を有し、かつシクロペンタジエニル基を含む別の有機基に更に結合している２価の有機基であってもよく、及び
“n”は１〜10（極値が含まれる）の整数値のいずれかを有する。）
【請求項２】  前記記号R1、R2、R3、R4、R5、R6、R7、Z1及びZ2の夫々が水素又は１〜６個の炭素原子を有する線状又は分岐アルキル基を表し、かつ“n”が１〜３の値を有する請求の範囲第１項記載の化合物。
【請求項３】  式(II)中、記号R1、R2、R3、R4、Z1及びZ2が全て水素を表し、及び記号R5、R6又はR7の少なくとも一つが独立にメチル又はエチルを表す請求の範囲第１項又は第２項記載の化合物。
【請求項４】  式(II)中、基R5、R6又はR7の一つが、２〜６個の炭素原子を有する２価の炭化水素基又はシラン基であり、５〜20個の炭素原子を有する第二シクロペンタジエニル基に更に結合している、請求の範囲第１項〜第３項のいずれか記載の化合物。
【請求項５】  シクロペンタジエニル環からH+酸イオンを引き抜くことにより、請求の範囲第１項記載の式(II)を有する化合物から外形上由来する、下記の一般式(X)を有する少なくとも一つの多環式シクロペンタジエニル陰イオンを含む塩類化合物又は錯体。
【化２】
2003529572.tif 000002
（式中、
夫々の記号R1、R2、R3、R4、R5、R6、R7、Z1及びZ2、そしてまた異態の“n”は、請求の範囲第１項〜第４項のいずれか記載の式(II)中の対応する記号と同じ意味を有し、
Mvは、０より大きい酸化状態（又は原子価）“v”を有する元素の周期律表のあらゆる金属を表し、
夫々のZ'は、独立にイオン対の陰イオンとして、又は“σ”型の共有結合により金属Mvに結合している陰イオン性の基であり、
Z”は、金属Mvにπ配位しているシクロペンタジエニル陰イオンを含む、５〜30個の炭素原子を有する有機基を表し、
“m”は、Z”が式(X)を有する化合物中に存在するか否かに応じて１又は０の値を有し、
“p”は、p=(v-m-1)であるような値を有する。）
【請求項６】  前記金属Mvが周期律表の１族又は２族の金属から選ばれる請求の範囲第５項記載の塩類化合物。
【請求項７】  前記金属Mvがランタニド族の金属を含む、周期律表の３族〜10族の遷移金属から選ばれる請求の範囲第５項記載の錯体。
【請求項８】  前記金属Mvが周期律表の４族〜６族の金属から選ばれる請求の範囲第５項又は第７項記載の錯体。
【請求項９】  下記の一般式(XI)を有する請求の範囲第５項記載のビスシクロペンタジエニル錯体。
【化３】
2003529572.tif 000003
（式中、
夫々の記号R1、R2、R3、R4、R5、R6、R7、Z1及びZ2、そしてまた異態の“n”は、請求の範囲第５項記載の式(X)中の対応する記号と同じ意味を有し、
Mqは、３又は４に等しい酸化状態（又は原子価）“q”を有するチタン、ジルコニウム及びハフニウムから選ばれる金属を表し、
“t”は、Mqの原子価“q”が４である場合には１の値を有し、またMqの原子価“q”が３である場合には０の値を有し、
X'及びX”は、夫々独立に金属Mqにσ結合している１価の陰イオン性の基を表し、
Cpは、金属Mqにπ配位している、陰イオン性のη5-シクロペンタジエニル又はη5-ヘテロシクロペンタジエニル環を含む有機基を表す）
【請求項１０】  前記記号X'及びX”が、
夫々独立に水素化物、ハライド、C1-C20アルキル基又はアルキルアリール基、C3-C20アルキルシリル基、C5-C20シクロアルキル基、C6-C20アリール基又はアリールアルキル基、C1-C20アルコキシル基又はチオアルコキシル基、C2-C20カルボキシレート基又はカルバメート基、C2-C20ジアルキルアミド基及びC4-C20アルキルシリルアミド基から選ばれる、金属Mqにσ結合している陰イオン性の基を表すか、又は
前記X'基及びX”基が互いに化学結合して、水素とは異なる４〜７個の原子を有し、金属Mqを含む環を形成する、請求の範囲第９項記載の錯体。
【請求項１１】  式(XI)中のCp基が、式(II)を有する化合物に由来する多環式シクロペンタジエニル基に共有結合しているか、１〜15個の炭素原子を有する２価の炭化水素又はシランにより、式(X)の同化合物において金属Mｑに結合して、所謂“ブリッジ”構造を形成する、請求の範囲第９項又は第１０項のいずれか記載の錯体。
【請求項１２】  互いに接触している下記の２成分を含有する、エチレン及びその他のα-オレフィンの（共）重合用の触媒、又はその反応生成物： 
(i)  式(X)を有する錯体中の金属Mvが周期律表の４族〜６族の金属であることを条件とする、請求の範囲第５項〜第１１項のいずれか記載の少なくとも一種のメタロセン錯体、
(ii)  上で定義した周期律表の２族、12族、13族又は14族の元素から選ばれる、炭素とは異なる元素M'の少なくとも一種の有機金属化合物を含む助触媒。
【請求項１３】  成分(ii)中の前記元素M'が、ホウ素、アルミニウム、亜鉛、マグネシウム、ガリウム及びスズから選ばれる請求の範囲第１２項記載の触媒。
【請求項１４】  成分(i)中の前記メタロセン錯体が、請求の範囲第９項〜第１１項のいずれか記載の式(XI)を有する錯体から選ばれる請求の範囲第１２項又は第１３項の一項記載の触媒。
【請求項１５】  前記成分(ii)が、ポリマーアルミノキサンである請求の範囲第１２項〜第１４項のいずれか１項記載の触媒。
【請求項１６】  式(X)を有する錯体中の遷移金属Mv又は式(XI)を有する錯体中のMqとアルミノキサン中のAlとの原子比が100から5,000までの範囲である請求の範囲第１５項記載の触媒。
【請求項１７】  前記成分(ii)が、σ結合している基を成分(i)中の錯体から引き抜くことにより成分(i)中の錯体と反応して、
一方で少なくとも一種の中性化合物を生成し、
他方で金属Mv又はMqを含むメタロセン陽イオンと、その負の電荷が多中心構造で非局在化されている金属M'を含む有機非配位陰イオンとを含むイオン性化合物を生成することができる、M'の少なくとも一種の化合物又は有機金属化合物の混合物を含み、
前記成分(ii)が、前記イオン性イオン化化合物に加えて、下記の式：
AlR9mX3-m
（式中、R9は線状もしくは分岐C1-C8アルキル基、又はそれらの混合物の一種であり、
Ｘはハロゲンであり、かつ
“m”は１〜３（極値が含まれる）の範囲の小数である）
により表されるアルミニウムトリアルキル又はアルキルアルミニウムハライドを含み、成分(i)中のMv又はMqとアルミニウムアルキル中のAlの比が1/10〜1/1,000の範囲である
請求の範囲第１２項〜第１４項のいずれか記載の触媒。
【請求項１８】  成分(ii)中の金属M'と成分(i)中の金属Mv又はMqとの原子比が１から６までの範囲である請求の範囲第１７項記載の触媒。
【請求項１９】  前記成分(ii)が、下記の式：〔(Rc)xNH4-x〕＋〔B(RD)4〕−；B(RD)3；〔Ph3C〕＋〔B(RD)4〕−；〔(Rc)3PH〕＋〔B(RD)4〕−；〔Li〕＋〔B(RD)4〕−；〔Li〕＋〔Al(RD)4〕−の一つを有する化合物の群から選ばれるイオン性イオン化化合物を含み、式中、異態の“x”は０〜３の範囲の整数であり、夫々のRc基は独立に１〜10個の炭素原子を有するアルキル基又はアリール基を表し、及びRD基は独立に６〜20個の炭素原子を有する、部分的に又は完全にフッ素化されたアリール基を表す、請求の範囲第１７項又は第１８項記載の触媒。
【請求項２０】  連続式又はバッチ式でα-オレフィンを（共）重合する方法であって、低圧（0.1-1.0MPa）、中間の圧力（1.0-10MPa）又は高圧（10-150MPa）下、20℃から240℃の範囲の温度において、必要により不活性希釈剤の存在下で、少なくとも一種のα-オレフィンと請求の範囲第１２項〜第１９項の一項記載の触媒とを接触させることを特徴とする前記α-オレフィンを（共）重合する方法。
【請求項２１】  前記の少なくとも一種のα-オレフィンがエチレンである請求の範囲第２０項記載の方法。
【請求項２２】  エチレンを、３〜10個の炭素原子を有する少なくとも第二のα-オレフィンと共重合させる、請求の範囲第２０項又は第２１項記載の方法。
【請求項２３】  前記第二のα-オレフィンに加えて、エチレンを、５〜20個の炭素原子を有する脂肪族又は脂環式の非共役ジエンと共重合させる請求の範囲第２２項記載の方法。